(57)【要約】    【課題】  ソール全面からスパイクピンを出没させることができるようにする。    【解決手段】  ソール(20)には複数の挿通孔(21A)を形成し、複数の挿通孔には硬質のスパイクピン(31)をスライド自在に挿入する。複数のスパイクピンは下方に抜け止めしかつばね部材(32)によって上方に付勢する。ソール内には複数のスパイクピンの頭部(31A)と当接するスライドカム(23)を設け、複数のスライドカムはワイヤー(24)によって連結し、操作レバー(26)を操作することによりスライドカムをワイヤーを介して引っ張って第１位置と第２位置との間でスライドさせ、第１位置でスライドカムによってスパイクピンの先端を下方に突出させ、第２位置でスパイクピンを没入させる。【選択図】  図３
2007044058.tif 000002
【特許請求の範囲】
【請求項１】
ソールには複数の挿通孔が形成され、該複数の挿通孔には硬質のスパイクピンがスライド自在に挿入され、該複数のスパイクピンは下方に抜け止めされかつばね部材によって上方に付勢され、ソール内には上記複数のスパイクピンの頭部と当接するスライドカムが設けられ、上記複数のスライドカムはワイヤーによって連結されており、
操作レバーが操作されることにより上記スライドカムが上記ワイヤーを介して引っ張られて第１位置と第２位置との間でスライドされ、上記スライドカムは第１位置で上記スパイクピンの先端を下方に突出させ、第２位置で上記スパイクピンを没入させるようにしたことを特徴とするスポーツシューズ。
【請求項２】
上記ソールには複数の取付け穴が形成され、該複数の取付け穴には樹脂製スパイクが挿入固定され、該複数の樹脂製スパイクの中央には上記挿通孔が形成され、該挿通孔には上記硬質のスパイクピンがスライド自在に挿入されており、上記スライドカムは第１位置で上記スパイクピンの先端を上記樹脂製スパイクの下端よりも下方に突出させ、第２位置で上記スパイクピンの先端を上記樹脂製スパイク内に没入させるようにした請求項１記載のスポーツシューズ。
【請求項３】
上記ソールがロワーソールとアッパーソールとから構成され、上記ロワーソールとアッパーソールとの間には上記スライドカム、ワイヤー及び操作レバーを収容し得る空間が形成されている請求項１記載のスポーツシューズ。
【請求項４】
上記空間内には上記ケーブルの移動を案内するガイドが設けられている請求項３記載のスポーツシューズ。
【請求項５】
上記スパイクピンは、金属材料又は硬質の合成樹脂材料を用いて製作され、あるいは金属製の芯材を合成樹脂材料で覆って製作されている請求項１又は２記載のスポーツシューズ。
【請求項６】
上記スライドカムにはそのカム面が上記スパイクピンの頭部が嵌入する凹状に形成されている請求項１記載のスポーツシューズ。
【発明の詳細な説明】
【技術分野】
【０００１】
この発明はスポーツシューズに関し、特にソール全面からスパイクピンを出没させることのできるようにしたシューズに関する。
【背景技術】
【０００２】
スポーツシューズ、例えばゴルフシューズではゴルフクラブのスイング中に地面をしっかりとグリップして足元が滑らないように、ソールにスパイクやスパイクピンを設けることが行われる。
【０００３】
しかし、従来の金属製のスパイクやスパイクピンではグリーン上を歩行したときに芝生にスパイク痕を残し、後のプレイヤーの円滑なプレイを妨げるおそれがある。また、ゴルフコース内のアスファルト面を歩行する際に突き上げ感や不安定感があり、さらにはアスファルト面からの衝撃が足裏から膝や腰に伝わり、疲労感が大きい。また、クラブハウス内を歩くと、フロアに損傷を与えるおそれがある。
【０００４】
他方、金属製のスパイクやスパイクピンに代え、合成樹脂製のスパイクやスパイクピン、いわゆる「ノンメタルスパイク」を採用することが行われているが（特許文献１、特許文献２）、合成樹脂製のスパイクやスパイクピンはゴルフコースにおけるグリップ力が小さく、例えば濡れた芝生上や枯れた芝生上では足元が滑るおそれがある。
【０００５】
これに対し、金属製又は硬質樹脂製のスパイクピンをソールから出没させるようにしたスポーツシューズが提案されている（特許文献３、特許文献４）。
【０００６】
【特許文献１】特開２００１−１９７９０７号公報
【特許文献２】特開平１１−３３２６１２号公報
【特許文献３】特開２００２−３３６００６号公報
【特許文献４】特開平１０−２７６８０５号公報
【発明の開示】
【発明が解決しようとする課題】
【０００７】
しかし、特許文献３、４記載のスポーツシューズでは操作レバーとスライダー又はカムを連結してスライダー又はカムを変位させ、スパイクピンを出没させる構造であるので、ソールの踵部分においてスパイクピンを出没させることはできるものの、操作レバーの設ける箇所が制限され、ソール全面においてスパイクピンを出没させるという構造を採用することが難しい。
【０００８】
本発明はかかる問題点に鑑み、ソール全面からスパイクピンを出没させることのできるようにしたスポーツシューズを提供することを課題とする。
【課題を解決するための手段】
【０００９】
そこで、本発明に係るスポーツシューズは、ソールには複数の挿通孔が形成され、該複数の挿通孔には硬質のスパイクピンがスライド自在に挿入され、該複数のスパイクピンは下方に抜け止めされかつばね部材によって上方に付勢され、ソール内には上記複数のスパイクピンの頭部と当接するスライドカムが設けられ、上記複数のスライドカムはワイヤーによって連結されており、操作レバーが操作されることにより上記スライドカムが上記ワイヤーを介して引っ張られて第１位置と第２位置との間でスライドされ、上記スライドカムは第１位置で上記スパイクピンの先端を下方に突出させ、第２位置で上記スパイクピンを没入させるようにしたことを特徴とする。
【００１０】
本発明の特徴の１つはソール全面にスパイクピンをスライド自在に設け、スパイクピンの上方にスライドカムを設け、複数のスライドカムをワイヤーで連結し、ワイヤーを操作レバーで押し引きし、スライドカムをスライドさせてスパイクピンを出没させるようにした点にある。
【００１１】
これにより、操作レバーをいずれの部位に設けてもソール全面に設けたスパイクピンを出没させることができる。
【００１２】
ソールには硬質のスパイクピンのみを設けてもよいが、スパイクピンを没入させているときにも適切なグリップ力が得られるように、適切な軟らかさの樹脂製スパイクを設け、樹脂製スパイクからスパイクピンを出没させるようにするのがよい。
【００１３】
即ち、ソールには複数の取付け穴を形成し、複数の取付け穴には樹脂製スパイクを挿入固定し、複数の樹脂製スパイクの中央には挿通孔を形成し、挿通孔には硬質のスパイクピンをスライド自在に挿入し、スライドカムが第１位置でスパイクピンの先端を樹脂製スパイクの下端よりも下方に突出させ、第２位置でスパイクピンの先端を樹脂製スパイク内に没入させるように構成するのが好ましい。
【００１４】
ソールにはスライドカム、ワイヤー及び操作レバーをレイアウトするスペースを設ける必要がある。そこで、ソールをロワーソールとアッパーソールとから構成し、ロワーソールとアッパーソールとの間にはスライドカム、ワイヤー及び操作レバーを収容し得る空間を形成するのがよい。
【００１５】
ソール全面にわたってスパイクピンをレイアウトした場合、各スライドカムを連結するワイヤーは折れ曲がってレイアウトされるおそれがある。そこで、空間内にはケーブルの移動を案内するガイドを設けるのがよい。ガイドは例えばガイドローラを採用することができる。
【００１６】
スパイクピンは所定の硬さがあれば特にその材料は限定されず、例えば金属材料又は硬質の合成樹脂材料を用いて製作されることができ、又金属製の芯材を合成樹脂材料で覆って製作されることもできる。
【００１７】
スライドカムはそのカム面でスパイクピンの頭部を摺接してスパイクピンをスライドさせることができればよいが、スパイクピンを突出状態及び没入状態に保持できるように、そのカム面をスパイクピンの頭部が嵌入する凹状に形成するのが好ましい。
【発明を実施するための最良の形態】
【００１８】
以下、本発明を図面に示す具体例に基づいて詳細に説明する。図１ないし図３は本発明に係るスポーツシューズの好ましい実施形態を示し、これはゴルフシューズに適用した例である。図において、靴１０には履き口１１が形成されるとともに、履き口１１の前方にはべろ１２が設けられ、べろ１２の両側の間の鳩目には靴紐１３が掛けわたされ、又靴１０の底部にはソール２０が固着されている。なお、ソール２０の上方には図示しないがさらにインナーソール（中敷）が設けられていてもよい。
【００１９】
ソール２０はロワーソール２１とアッパーソール２２を積層し相互に固着して構成され、ロワーソール２１とアッパーソール２２はナイロンやウレタン等の合成樹脂材料を用いて例えばインジェクション成形法によって製造されている。
【００２０】
このロワーソール２１には円形の取付け穴２１Ａが前部に５つ、後部に２つソール２０の外縁に沿って形成され、取付け穴２１Ａ内面には雌ねじが形成され、取付け穴２１Ａにはスパイク３０の雄ねじが螺合されて取付けられている。
【００２１】
スパイク３０はナイロンやウレタン等の合成樹脂材料を用いて例えばインジェクション成形法などによって製造され、円形状の基部３０Ａの底面外縁に複数の突起３０Ｂを等しい角度間隔で突設した形態をなし、基部３０Ａの中心には挿通孔３０Ｃが上下に貫通して穿設されている。
【００２２】
このスパイク３０の挿通孔３０Ｃにはスパイクピン３１がスライド自在に挿通され、スパイク３１はステンレス鋼などの金属材料を用いて製作され、先端部が鋭角となった円柱状をなし、後端には頭部３１Ａが拡径して形成され、スパイクピン３１はその頭部３１Ａが挿通孔３０Ｃの周縁と当たることによって下方に抜け止めされている。
【００２３】
スパイクピン３１の中間には小径部分が形成され、その小径部分の外周にはコイルばね（ばね部材）３２が外装され、コイルばね３２の下端は取付け孔３０Ｃの内面の突起（図示せず）によって位置決めされて係止され、スパイクピン３１を上方に付勢している。
【００２４】
また、アッパーソール２２には凹溝（空間）２２Ａがソール２０の外形に沿った形状に形成され、凹溝２２Ａ内にはスパイクピン３１に対応する部位にスライド溝２２Ｂが形成されてスライドカム２３がスライド自在に配置されている。
【００２５】
スライドカム２３はカム面２２Ａ、２３Ｂが２段に形成され、一方のカム面２３Ａは厚みが小さく、スライドカム２３が第２位置にスライドされたときにスパイクピン３１の先端をスパイク３０内に没入させ、他方のカム面２３Ｂは厚みが大きく、スライドカム２３が第１位置にスライドされたときにスパイクピン３１の先端をスパイク３０の突起３０Ｂ下端から下方に突出させるようになっている。
【００２６】
複数のスライドカム２３の間はワイヤー２４で連結され、凹溝２２Ａのコーナー部分にはワイヤー２４を案内するガイドローラ（ガイド）２５が設けられている。
【００２７】
また、アッパーソール２２の土踏まずに相当する部分には収納凹部２２Ｃが幅方向に延びて形成され、収納凹部２２Ｃには操作レバー２６が収納され、操作レバー２６の先端部はアッパーソール２２に回転自在に支持され、操作レバー２６にはワイヤー２４が連結されてワイヤー２４は無端状に構成され、又操作レバー２６の摘まみ２６Ａはソール２０から外方に突設されている。
【００２８】
プレイヤーがゴルフクラブをスイングする場合、操作レバー２６の摘まみ２６Ａを操作してスライドカム２３を第１位置にスライドさせる。すると、スライドカム２３のカム面２３Ｂがスパイクピン３１の頭部３１Ａと当たり、スパイクピン３１を下方にスライドさせ、スパイクピン３１の先端が図３の(b)に示されるようにスパイク３０の突起３０Ｂよりも下方に突出するので、ゴルフコースの地面をソール２０全体で確実にグリップしてゴルフクラブを強くスイングすることができる。
【００２９】
同様に、濡れた芝生や枯れた芝生上を歩くときにもスパイクピン３１を突出させておくと、足元が滑ることもない。
【００３０】
他方、グリーン上でパッティングする場合、操作レバー２６の摘まみ２６Ａを逆方向に操作してスライドカム２３を第２位置にスライドさせる。すると、スライドカム２３のカム面２３Ａがスパイクピン３１の頭部３１Ａと当たり、スパイクピン３１がコイルばね３２の付勢力によって上方にスライドし、スパイクピン３１の先端が図３の(a)に示されるようにスパイク３０内に没入するので、グリーン上の芝生を傷めることはない。
【００３１】
このときスパイクピン３１は没入しているが、ソール２０には樹脂製のスパイク３０があるので、グリーンの芝生を適切にグリップしてパッティングすることができる。
【００３２】
また、ゴルフコース内のアスファルト面を歩行するときにもスパイクピン３１を没入させておくと、突き上げ感や不安定感を感じることはなく、しかもアスファルト面からの衝撃も少ない。
【図面の簡単な説明】
【００３３】
【図１】本発明に係るスポーツシューズの好ましい実施形態を示す図である。
【図２】上記実施形態におけるロワーソール２１及びアッパーソール２２を示す図である。
【図３】上記実施形態における作用を説明するための図である。
【符号の説明】
【００３４】
１０      靴
２０      ソール
２１      ロワーソール
２１Ａ    取付け穴
２２      アッパーソール
２２Ａ    凹溝
２２Ｂ    スライド溝
２３      スライドカム
２３Ａ、２３Ｂ      カム面
２４      ワイヤー
２６      操作レバー
３０      スパイク
３０Ｂ    突起
３１      スパイクピン
３１Ａ    頭部
３２      コイルばね（ばね部材）
【図１】
2007044058.tif 000003
【図２】
2007044058.tif 000004
【図３】
2007044058.tif 000005